(57)【要約】【課題】  非接触式の伝送インターフェースによりモジュール化を拡充させ、接触不良を発生させない非接触式伝送機能を有するウォッチワインダーボックスを提供する。【解決手段】  ボックス体２０の内の二つの側面は発信コイル５２、５４と受信コイル５６、５８をそれぞれ設置する。発信コイルは、ボックス体内に設けられる回路基板の電力を供給されて駆動されると共に無線信号を発信する。受信コイルは受信された無線信号を供給電流に転換し、供給電流を回路基板へ伝送する。その供給電流は回路基板への給電に用いられる。これにより、本考案の腕時計の収納に用いられるウォッチワインダーボックスは非接触式の伝送インターフェースによりモジュール化の拡充を図ることができる。【選択図】図１
0003172270.tif 000002
【実用新案登録請求の範囲】
【請求項１】
腕時計の収納に用いられ、非接触式伝送機能を有するウォッチワインダーボックスであって、
内部に収納空間を有するボックス体と、
前記ボックス体の収納空間内に設けられ、モーター及び前記モ−タ−に接続される回転ベースを有する回転ユニットと、
前記ボックス体に設けられ、前記モーターに電気的に接続される回路基板を有する電源供給ユニットと、
少なくとも一つの発信コイル及び少なくとも一つの受信コイルで構成される非接触式感応ユニットを備え、
前記発信コイルは前記ボックス体の一側面に設けられ、且つ前記回路基板に電気的に接続され、前記回路基板の電力により駆動されて無線信号を発信し、
前記受信コイルは前記ボックス体の他側面に設けられ、且つ前記回路基板に電気的に接続され、受信した無線信号を供給電流へ転換し、前記供給電流を前記回路基板へ伝送することを特徴とするウォッチワインダーボックス。
【請求項２】
前記発信コイルの数量は二つであり、前記ボックス体の内の二つの側面に選択的に設けられることを特徴とする、請求項１に記載のウォッチワインダーボックス。
【請求項３】
前記二つの発信コイルは前記ボックス体の隣接する二つの側面に設けられることを特徴とする、請求項２に記載のウォッチワインダーボックス。
【請求項４】
前記受信コイルの数量は二つであり、前記ボックス体の内の二つの側面に選択的に設けられることを特徴とする、請求項１に記載のウォッチワインダーボックス。
【請求項５】
前記二つの受信コイルは前記ボックス体の隣接する二つの側面に設けられることを特徴とする、請求項４に記載のウォッチワインダーボックス。
【請求項６】
前記ボックス体は前記収納空間の開口部に透明板が設けられることを特徴とする、請求項１に記載のウォッチワインダーボックス。
【請求項７】
前記発信コイルと前記受信コイルとは切換スイッチによる制御により、前記無線信号の受信と発信が切換え可能であることを特徴とする、請求項１に記載のウォッチワインダーボックス。
【考案の詳細な説明】
【技術分野】
【０００１】
本考案は、腕時計の収納に用いられるウォッチワインダーボックスに関し、より詳しくは、非接触式で供給電源を伝送する機能を有するウォッチワインダーボックスに関する。
【背景技術】
【０００２】
機械式時計は主に手動巻き上げ方式或いは自動巻き上げ方式を採用して動力を内部の振動機構へ供給し、振動機構に振動を発生させて機械式時計の動作を維持する。しかし、機械式時計が長時間使用されない場合、通常、自動ウォッチワインダーボックスが必要になる。自動ウォッチワインダーボックスは機械式時計の自動巻き上げを行い、機械式時計の正常な動作状態を保持する。
【０００３】
特許文献１には「モジュール化された腕時計のウォッチワインダーボックス」が掲載されており、これは主にウォッチワインダーボックスに複数の導電性を有する連結部を設けている。複数のウォッチワインダーボックスによりモジュール化の拡充を行う場合、異なるウォッチワインダーボックスの連結部を相互に接触させて電気的導通を形成し、その内の一つのウォッチワインダーボックスと電源供給器を電気的に接続することで、全てのウォッチワインダーボックスに電力を供給する。
【先行技術文献】
【特許文献】
【０００４】
【特許文献１】台湾特許第Ｍ３５５５９３号明細書
【考案の概要】
【考案が解決しようとする課題】
【０００５】
しかしながら、隣接される二つのウォッチワインダーボックス間には接触式の伝送インターフェースを採用しており、外力の作用を容易に受けて本来導通されているはずの連結部間に接触不良が生じ、これが連鎖的にウォッチワインダーボックスの動作に影響を及ぼした。
【０００６】
本考案は、このような従来の問題に鑑みてなされたものである。上記課題解決のため、本考案は、非接触式の伝送インターフェースによりモジュール化を拡充させ、接触不良の発生を防ぐ非接触式伝送機能を有するウォッチワインダーボックスを提供することを主目的とする。
【課題を解決するための手段】
【０００７】
上述した課題を解決し、目的を達成するために、本考案に係る非接触式伝送機能を有するウォッチワインダーボックスは、
内部に収納空間を有するボックス体と、
ボックス体の収納空間内に設けられ、モーター及びモ−タ−に接続される回転ベースを有する回転ユニットと、
ボックス体に設けられ、モーターに電気的に接続される回路基板を有する電源供給ユニットと、
少なくとも一つの発信コイル及び少なくとも一つの受信コイルで構成され、発信コイルはボックス体の一側面に設けられ、且つ回路基板に電気的に接続され、回路基板の電力により駆動され無線信号を発信し、受信コイルはボックス体の他側面に設けられ、且つ回路基板に電気的に接続され、受信された無線信号を供給電流へ転換させ、供給電流を回路基板へ伝送させる非接触式感応ユニットを備えることを特徴とする。
【０００８】
更に好ましくは、発信コイルの数量は二つで、ボックス体の内の二つの側面に選択的に設けられ、隣接する二つの側面に設置されることが最も好ましい実施態様であることを特徴とする。
【０００９】
更に好ましくは、受信コイルの数量は二つで、ボックス体の内の二つの側面に選択的に設けられ、隣接する二つの側面に設置されることが最も好ましい実施態様であることを特徴とする。
【図面の簡単な説明】
【００１０】
【図１】本考案に係る実施形態のウォッチワインダーボックスの斜視図である。
【図２】本考案に係る実施形態のウォッチワインダーボックスの透明板を取り外した斜視図である。
【図３】本考案に係る実施形態のウォッチワインダーボックスのボックス体の右側の板を取り外した側面図である。
【図４】本考案に係る実施形態のウォッチワインダーボックスのボックス体の上の板を取り外した平面図である。
【図５】本考案に係る第１実施形態のウォッチワインダーボックスの使用時の概略図である。
【図６】本考案に係る第２実施形態のウォッチワインダーボックスの使用時の概略図である。
【図７】本考案に係る第３実施形態のウォッチワインダーボックスの使用時の概略図である。
【図８】本考案に係る第４実施形態のウォッチワインダーボックスの使用時の概略図である。
【考案を実施するための形態】
【００１１】
以下、本考案の実施形態を図面に基づいて説明する。なお、本考案は、以下に説明する実施形態に限定されるものではない。
【００１２】
本考案の実施形態に係る非接触式伝送機能を有するウォッチワインダーボックスは図１乃至図３によると、これらは本考案に係る好ましい実施形態のウォッチワインダーボックス１０であり、ボックス体２０、回転ユニット３０、電源供給ユニット４０、及び非接触式感応ユニット５０を含む。
【００１３】
ボックス体２０は直方体であり、内部に収納空間２２を有し、収納空間２２はボックス体２０の前面に開口部２４が形成され、ボックス体２０は収納空間２２に対応する開口部２４に透明板２６が設けられる。
【００１４】
回転ユニット３０はボックス体２０の収納空間２２内に設けられ、モーター３２と回転ベース３４を有し、回転ベース３４はモーター３２に接続されて、モーター３２が駆動されると回転する。これにより、腕時計はボックス体２０の開口部２４より収納空間２２内へ収納され、回転ベース３４上に固定され、回転ベース３４を連動させて自動巻き上げの効果を達成し、同時に透明板２６が設置されることで腕時計が保護されると共に、外から腕時計の状態を見られるようにしている。
【００１５】
電源供給ユニット４０はボックス体２０の底部に設けられ、モーター３２に電気的に接続される回路基板４２を有する。電源供給ユニット４０は外部電源と電気的に接続され、回路基板４２により外部電源の電力をモーター３２へ伝送し、モーター３２の動力源とする。
【００１６】
図１、図３及び図４によると、非接触式感応ユニット５０は二つの発信コイル５２と発信コイル５４、並びに二つの受信コイル５６と受信コイル５８を有する。発信コイル５２と発信コイル５４はボックス体２０の上面と右側面にそれぞれ設けられ、且つ回路基板４２にそれぞれ電気的に接続され、回路基板４２の電力により駆動されて無線信号を発信する。受信コイル５６と受信コイル５８はボックス体２０の底面と左側面にそれぞれ設けられ、且つ回路基板４２にそれぞれ電気的に接続され、受信された無線信号を供給電流へ転換する。供給電流は回路基板４２へ伝送され、回路基板４２の給電に用いられる。特に、発信コイル５２と発信コイル５４及び受信コイル５６と受信コイル５８の数量と装着位置は前述のものに限られず、実際の使用上の需要に応じて改変できる。このほか、発信コイル５２と発信コイル５４及び受信コイル５６と受信コイル５８間は切換スイッチの制御により無線信号の発信と受信を切換え可能である。つまり本来の発信コイル５２と発信コイル５４は無線信号を受信させる受信コイルへと切換えられ、受信コイル５６と受信コイル５８は無線信号を発信させる発信コイルへと切換えられる。
【００１７】
以上が本考案のウォッチワインダーボックス１０の詳細な構造であり、以下に本考案に係る四つの実施形態及び特色について説明する。
【００１８】
（第１実施形態）
まず、本考案の非接触式伝送機能を有するウォッチワインダーボックスの第１実施形態について説明する。
本考案の第１実施形態の構成を図３から図５に示す。まず一つのウォッチワインダーボックス１０ａが外部電源に電気的に接続されて、ウォッチワインダーボックス１０ａの発信コイル５２と発信コイル５４が無線信号を発信する。次に順に二つのウォッチワインダーボックス１０ｂとウォッチワインダーボックス１０ｃとをウォッチワインダーボックス１０ａの右側と上方にそれぞれ設置する。続いてウォッチワインダーボックス１０ｄをウォッチワインダーボックス１０ｂの上方及びウォッチワインダーボックス１０ｃの右側に設置する。これにより、ウォッチワインダーボックス１０ｂの受信コイル５８とウォッチワインダーボックス１０ｃの受信コイル５６とはウォッチワインダーボックス１０ａの発信コイル５４と発信コイル５２から発信される無線信号をそれぞれ受信し、受信された無線信号を回路基板４２の電力へと転換し、本体の電力源としてウォッチワインダーボックス１０ｂとウォッチワインダーボックス１０ｃとを正常に動作させる。このため、ウォッチワインダーボックス１０ｂとウォッチワインダーボックス１０ｃは外部電源に電気的に接続されずとも、発信コイル５２と発信コイル５４が無線信号を発信し、ウォッチワインダーボックス１０ｄの受信コイル５６と受信コイル５８がウォッチワインダーボックス１０ｂの発信コイル５２及びウォッチワインダーボックス１０ｃの発信コイル５４から発信された無線信号をそれぞれ受信し、さらに受信された無線信号をウォッチワインダーボックス１０ｄの電力源へと転換することで、ウォッチワインダーボックス１０ｄも同様に外部電源に電気的に接続されずとも正常に動作する。
【００１９】
（第２実施形態）
次に本考案の非接触式伝送機能を有するウォッチワインダーボックスの第２実施形態について説明する。
第２実施形態と第１実施形態とは大方同様であり、図４及び図６によれば、主な違いはウォッチワインダーボックス１０ｄがウォッチワインダーボックス１０ｂの右側に位置し、ウォッチワインダーボックス１０ｄの受信コイル５８がウォッチワインダーボックス１０ｂの発信コイル５４から発信された無線信号を受信する点である。
【００２０】
（第３実施形態）
以下に本考案の非接触式伝送機能を有するウォッチワインダーボックスの第３実施形態について説明する。
第３実施形態と第２実施形態とは大方同様であり、図３及び図７によると、主な違いはウォッチワインダーボックス１０ｃがウォッチワインダーボックス１０ｂの上方に位置し、ウォッチワインダーボックス１０ｃの受信コイル５６がウォッチワインダーボックス１０ｂの発信コイル５２から発信された無線信号を受信する点である。
【００２１】
（第４実施形態）
最後に本考案の非接触式伝送機能を有するウォッチワインダーボックスの第４実施形態について説明する。
第４実施形態ではウォッチワインダーボックス１０ｄがウォッチワインダーボックス１０ｃの上方に位置し、図３及び図８によれば、ウォッチワインダーボックス１０ｄの受信コイル５６がウォッチワインダーボックス１０ｃの発信コイル５２から発信された無線信号を受信する。
【００２２】
上述のとおり、前述のどの実施形態を採用し拡充させるかによらず、全ては発信コイルと受信コイル間に形成される非接触式の伝送インターフェースにより、隣接される二つのウォッチワインダーボックス間に接触不良を起こさせず、各ウォッチワインダーボックス全てに正常な動作状態が確保される。このほか、前述の４つの実施形態では例を挙げて最も好ましい実施態樣を説明するが、必要な數量と位置はこれらに限定されず、当然実際の使用上の需要に合わせて調整できる。
【００２３】
以上、本考案はこのような実施形態に限定されるものではなく、考案の趣旨を逸脱しない範囲において、種々の形態で実施することができる。
【符号の説明】
【００２４】
１０  ・・・ウォッチワインダーボックス
１０ａ・・・ウォッチワインダーボックス
１０ｂ・・・ウォッチワインダーボックス
１０ｃ・・・ウォッチワインダーボックス
１０ｄ・・・ウォッチワインダーボックス
２０  ・・・ボックス体
２２  ・・・収納空間
２４  ・・・開口部
２６  ・・・透明板
３０  ・・・回転ユニット
３２  ・・・モーター
３４  ・・・回転ベース
４０  ・・・電源供給ユニット
４２  ・・・回路基板
５０  ・・・非接触式感応ユニット
５２  ・・・発信コイル
５４  ・・・発信コイル
５６  ・・・受信コイル
５８  ・・・受信コイル
【図１】
0003172270.tif 000003
【図２】
0003172270.tif 000004
【図３】
0003172270.tif 000005
【図４】
0003172270.tif 000006
【図５】
0003172270.tif 000007
【図６】
0003172270.tif 000008
【図７】
0003172270.tif 000009
【図８】
0003172270.tif 000010